(57)【要約】【課題】  使用しない係合部を部品ユニット内に収納することができる玩具組立用ユニットを提供する。【解決手段】  玩具の腕部１３は、その本体１４に設けられた回動軸５５を中心にして回動する回動部材５０を有してる。回動部材５０は、腕部１３に連結される第２の部品ユニット２３と連結されるときに使用される係合部５３と、手（必要部材）５１を備えている。腕部１３に他の部材２３とが連結される際には、手５１を本体１４内に収納し、係合部５３を本体１４から露出させる。腕部１３に他の部材２３を連結しない場合には、係合部５３を本体１４内に収納し、手５１を本体１４から露出させる。【選択図】図９
2005177201.tif 000002
【特許請求の範囲】
【請求項１】
第１の部品ユニットと第２の部品ユニットとが、前記第１の部品ユニット側に設けられた係合部と、前記第２の部品ユニット側に設けられ且つ前記係合部が着脱可能に係合する構造を有する被係合部とから構成された連結機構を介して連結されて構成される玩具用組立ユニットであって、
前記第１の部品ユニットは、その本体に設けられた回動軸を中心にして回動する回動部材を有し、
前記回動軸には、前記係合部及び前記第２の部品ユニットと連結されない状態で使用されるときに前記第１の部品ユニットの必要部分を構成する必要部材が設けられ、
前記第１の部品ユニットと前記第２の部品ユニットとが連結される際には、前記必要部材が前記本体内に収納され且つ前記係合部が前記本体から露出する状態になる第１の位置と、前記第１の部品ユニットが前記第２の部品ユニットと連結されない状態で使用される際には、前記係合部が前記本体内に収納され且つ前記必要部材が前記本体から露出する状態になる第２の位置との間を、前記回動部材が前記回動軸を中心にして選択的に回動し得るように前記第１の部品ユニットが構成されていることを特徴とする玩具用組立ユニット。
【請求項２】
前記係合部が係合用凸部及び該係合用凸部と着脱可能に係合する係合用凹部の一方からなり、前記被係合部が前記係合用凸部及び前記係合用凹部の他方からなることを特徴とする請求項１に記載の玩具用組立ユニット。
【請求項３】
前記係合用凸部が前記回動部材に設けられたベースと、前記ベースと一体に設けられて前記ベースから離れる方向に延びる板状部と、前記板状部の先端に添うようにして前記板状部と一体に設けられた係合部側張り出し部とを備え、
前記係合用凹部が、所定の間隔をあけて配置されて、前記板状部及び前記係合部側張り出し部を間に挟み、先端部に前記係合部側張り出し部の抜け止めを図る被係合部側張り出し部を一体に備えた可撓性を有する一対の壁部を備えており、
前記係合用凸部には、前記ベースと前記板状部とに跨って配置されて前記板状部を補強する補強部が、前記板状部及び前記係合部側張り出し部が前記係合用凹部の前記一対の壁部間に挿入されることを許容するように設けられていることを特徴とする請求項１または２に記載の玩具用組立ユニット。
【請求項４】
前記本体は前記必要部材または前記係合部を収納する収納空間を内部に備えた中空構造を有しており、
前記本体の前記収納空間を囲む周壁部は、前記回動軸を中心にして前記回動部材が前記第１の位置と前記第２の位置との間を変位することを許容するように構成されていることを特徴とする請求項１に記載の玩具用組立ユニット。
【請求項５】
前記周壁部の一部は、前記回動軸を中心にして前記回動部材が前記第１の位置から前記第２の位置に回動する場合及び前記回動軸を中心にして前記回動部材が前記第２の位置から前記第１の位置に回動する場合の少なくとも一方の場合に開かれて、前記回動部材の回動を許容する扉部材によって構成されている請求項４に記載の玩具用組立ユニット。
【請求項６】
請求項１乃至５のいずれか１つに記載の玩具組立ユニットを一部に含んで構成されて姿を変形する形態変形玩具。
【請求項７】
請求項１乃至５のいずれか１つに記載の玩具組立ユニットの前記第１の部品ユニットを基本態様に含んで構成されている形態変形玩具。
【請求項８】
複数の部品ユニットが、それぞれ係合部と前記係合部に係合する構造を有する被係合部とからなる連結機構を介して連結されて構成され、前記複数の部品ユニットの連結組み合わせを変えるか、予め用意した別の部品ユニットを前記連結機構を利用して前記複数の部品ユニットの一部と交換するか、予め用意した別の部品ユニットを前記連結機構を利用して前記複数の部品ユニットに追加することにより姿を変える形態変形玩具であって、
前記連結機構を介して連結される１つの前記部品ユニットは、他の１つの前記部品ユニットと連結されない状態で使用されるときに前記１つの部品ユニットの必要部分を構成する必要部材を備えて、前記１つの部品ユニットの本体に設けられた回動軸を中心にして回動する回動部材を備えており、
前記回動部材には前記係合部が設けられ、
前記１つの部品ユニットと前記他の１つの部品ユニットとが連結される際には、前記必要部材が前記本体内に収納され且つ前記係合部が前記本体から露出する状態になる第１の位置と、前記１つの部品ユニットが前記他の部品ユニットと連結されない状態で使用される際には、前記係合部が前記本体内に収納され且つ前記必要部材が前記本体から露出する状態になる第２の位置との間を、前記回動部材が前記回動軸を中心にして選択的に回動し得るように前記１つの部品ユニットが構成されていることを特徴とする形態変形玩具。
【請求項９】
前記１つの部品ユニットがそれ自体で腕部を構成しており、
前記必要部材が手であることを特徴とする請求項８に記載の形態変形玩具。
【請求項１０】
前記係合部が係合用凸部及び該係合用凸部と着脱可能に係合する係合用凹部の一方からなり、前記被係合部が前記係合用凸部及び前記係合用凹部の他方からなり、
前記係合用凸部が前記回動部材に設けられたベースと、前記ベースと一体に設けられて前記ベースから離れる方向に延びる板状部と、前記板状部の先端に添うようにして前記板状部と一体に設けられた係合部側張り出し部とを備え、
前記係合用凹部が、所定の間隔をあけて配置されて、前記板状部及び前記係合部側張り出し部を間に挟み、先端部に前記係合部側張り出し部の抜け止めを図る被係合部側張り出し部を一体に備えた可撓性を有する一対の壁部を備えており、
前記係合用凸部には、前記ベースと前記板状部とに跨って配置されて前記板状部を補強する補強部が、前記板状部及び前記係合部側張り出し部が前記係合用凹部の前記一対の壁部間に挿入されることを許容するように設けられていることを特徴とする請求項８に記載の形態変形玩具。
【発明の詳細な説明】
【技術分野】
【０００１】
本発明は、第１の部品ユニットと第２の部品ユニットとが着脱可能な連結機構を介して連結されて構成される玩具用組立ユニット及び該玩具用組立ユニットを用いて構成されてて変形する形態変形玩具に関するものである。
【背景技術】
【０００２】
特許第３１５２５９１号公報等に示された従来の形態変形玩具では、複数の部品ユニットを着脱可能な連結機構を介して連結している。従来の形態変形玩具では、部品ユニットを取り外した状態では、基本的に連結機構を構成する係合部は露出したままの状態になる。また種々の形状のブロック等を組立てて所定の立体物を作る玩具でも、特に雄型または突出するタイプの係合部はそのまま露出した状態になる。
【特許文献１】特許第３１５２５９１号
【発明の開示】
【発明が解決しようとする課題】
【０００３】
従来の構造では、部品ユニットの係合部に別の部品ユニットを連結しない場合には、係合部が露出して美観という観点から見ると美しさに欠ける問題がある。
【０００４】
本発明の目的は、使用しない係合部を部品ユニット内に収納することができる玩具組立用ユニット及び形態変形玩具を提供することにある。
【０００５】
本発明の他の目的は、強度の高い係合用凸部を係合部として備えた玩具組立用ユニット及び形態変形玩具を提供することにある。
【０００６】
本発明の更に他の目的は、係合部の収納及び取り出しが容易な玩具組立用ユニット及び形態変形玩具を提供することにある。
【課題を解決するための手段】
【０００７】
本発明は、第１の部品ユニットと第２の部品ユニットとが、第１の部品ユニット側に設けられた係合部と、第２の部品ユニット側に設けられ且つ係合部が着脱可能に係合する構造を有する被係合部とから構成された連結機構を介して連結されて構成される玩具用組立ユニットを対象とする。本発明で用いる第１の部品ユニットは、本体の内部に設けられた回動軸を中心にして回動する回動部材を有している。そして回動部材は、前述の係合部及び第２の部品ユニットと連結されない状態で使用されるときに第１の部品ユニットの必要部分を構成する必要部材を備えている。第１の部品ユニットは、回動部材が第１の位置と第２の位置との間を選択的に回動し得るように構成される。ここで第１の位置とは、第１の部品ユニットと第２の部品ユニットとが連結される際に、必要部材が本体内に収納され且つ係合部が本体から露出する状態になる位置である。また第２の位置とは、第１の部品ユニットが第２の部品ユニットと連結されない状態で使用される際に、係合部が本体内に収納され且つ必要部材が本体から露出する状態になる位置である。本発明によれば、第２の部品ユニットを第１の部品ユニットに連結する際には、回動部材を第１の位置に回動させて係合部を本体から露出させる。そして第２の部品ユニットを第１の部品ユニットに連結しない場合には、回動部材を第２の位置まで回動して必要部材を本体から露出させる。したがって本発明によれば、第２の部品ユニットを第１の部品ユニットに連結する必要がない場合には、別の部品ユニットを用いなくても、回動部材を回転させるだけで、係合部を第１の部品ユニットの本体内に収納して、係合部を外部から見えない状態にすることができるので、実際に使用されている状態における部品ユニットの外観をより美しいものとすることができる。
【０００８】
第１の部品ユニット側に設ける係合部の構造は任意であり、係合部として係合用凸部及び該係合用凸部と着脱可能に係合する係合用凹部の一方を用いることができる。この場合には、第２の部品ユニットに設ける被係合部は、係合用凸部及び前記係合用凹部の他方となる。
【０００９】
係合用凸部の形状は任意である。例えば、回転部材に設けられたベースと、このベースと一体に設けられてベースから離れる方向に延びる板状部と、板状部の先端に添うようにして板状部と一体に設けられた係合部側張り出し部とを備えた構造とすることができる。このような係合用凸部を用いる場合、対応する係合用凹部としては、所定の間隔をあけて配置されて、係合用凸部の板状部及び係合部側張り出し部を間に挟み、先端部に係合部側張り出し部の抜け止めを図る被係合部側張り出し部を一体に備えた可撓性を有する一対の壁部を備えた構造とすることができる。このような凹凸関係の係合用凹部と係合用凸部とからなる連結機構は、一般的に用いられている。しかしながら組み替え頻度が多くなると、特に係合用凸部の板状部が変形したり、最悪の場合には折れてしまうことがある。そこで係合用凸部には、ベースと板状部とに跨って配置されて板状部を機械的に補強する補強部を、板状部及び係合部側張り出し部が係合用凹部の一対の壁部間に挿入されることを許容するように設ける。このようにすると補強部の存在により、係合用凸部の板状部が補強されて、係合用凸部の寿命が大幅に延びる。
【００１０】
第１の部品ユニットの本体の構造は任意であるが、次のように構成するのが好ましい。すなわち本体を、必要部材または係合部を収納する収納空間を内部に備えた中空構造にする。そしてこの本体の内部に回動軸を設ける。また本体の収納空間を囲む周壁部を、回動軸を中心にして回動部材が第１の位置と第２の位置との間で変位することを許容するように構成する。このようにすると回動部材が第２の位置にあるときには、係合部は本体の周壁部によって囲まれているため、外側からは実質的に見ることができなくなる。
【００１１】
なお周壁部の一部を、回動軸を中心にして回動部材が第１の位置から第２の位置に回動する場合及び回動軸を中心にして回動部材が第２の位置から第１の位置に回動する場合の少なくとも一方の場合に開かれて、回動部材の回動を許容する扉部材によって構成してもよい。このような扉部材で周壁部の一部を構成すると、本体の周壁部の形状寸法を可能な範囲で小さくしても、回動部材を回転する際に、扉部材を開いて回動部材の回動を許容できるため、本体の外形をコンパクトなものとすることができる。
【００１２】
本発明の玩具組立ユニットを形態変形玩具に適用する場合には、形態変形玩具の一部に本発明の玩具組立ユニットが使用されればよい。一部においても係合部を収納することができれば、変形した形態変形玩具の外観をより美しく仕上げることができる。また係合部を隠すために、別部品ユニットを結合させる必要がないので、少ない部品点数で形態変形玩具を構成することができる。
【００１３】
本発明の形態変形玩具は、複数の部品ユニットが、それぞれ係合部とこの係合部に係合する構造を有する被係合部とからなる連結機構を介して連結されて構成され、複数の部品ユニットの連結組み合わせを変えるか、予め用意した別の部品ユニットを連結機構を利用して複数の部品ユニットの一部と交換するか、予め用意した別の部品ユニットを前記機構を利用して複数の部品ユニットに追加することにより姿を変える形態変形玩具である。この形態変形玩具では、連結機構を介して連結される１つの部品ユニットは、他の１つの部品ユニットと連結されない状態で使用されるときに１つの部品ユニットの必要部分を構成する必要部材を備えて、１つの部品ユニットの本体に設けられた回動軸を中心にして回動する回動部材を有している。回動部材には係合部が設けられる。そして１つの部品ユニットと他の１つの部品ユニットとが連結される際には、必要部材が本体内に収納され且つ係合部が本体から露出する状態になる第１の位置と、１つの部品ユニットが他の部品ユニットと連結されない状態で使用される際には、係合部が本体内に収納され且つ必要部材が本体から露出する状態になる第２の位置との間を、回動部材が前記回動軸を中心にして選択的に回動し得るように１つの部品ユニットを構成すればよい。例えば、１つの部品ユニットがそれ自体で腕部を構成してもよい。この場合には、必要部材が手となる。
【発明の効果】
【００１４】
本発明の玩具組立ユニットを用いると、連結することが可能な第２の部品ユニットを第１の部品ユニットに連結する必要がない場合には、回動部材を回転させるだけで、係合部を第１の部品ユニットの本体内に収納して、しかも第１の部品ユニットの外部にはその部品ユニットに必要な必要部材を露出させることができるので、部品ユニットを組み合わせて構成した玩具の外観をより美しく状態に仕上げることができる。
【発明を実施するための最良の形態】
【００１５】
以下図面を参照して本発明の実施の形態を詳細に説明する。図１乃至図４は、本発明の玩具組立ユニットを形態変形玩具に適用した実施の形態の変形状態をそれぞれ示す斜視図である。この本発明を適用した形態変形玩具は、いわゆるロボット玩具である。図１に示す状態では、ロボット玩具１の２本の脚部３及び５の先端に設けられた足部７及び９のうち、左足部９が爪先立ちになった状態に変形されている。また２本の腕１１及び１３の上に位置する肩部を覆うカバー１５および１７のうち、左肩側のカバー１７が上がった状態に変形されている。図２に示す状態では、図１と対比すると分かるように、首部１９が伸びて頭部の形状が変形している。この首部１９の伸縮には、形態変形玩具用伸縮構造が採用されている。図３に示す状態は、図２に示す状態と対比すると分かるように、腕部１１および１３を構成する一つの部材即ち第１の部品ユニットに他の部材即ち部品ユニット２１及び２３が連結機構を介して連結されている点で、図２に示す状態とは異なっている。なおこの連結機構については、後に詳しく説明する。図４に示す状態は、図３に示す状態と対比すると分かるように、脚部の形状が相違している点と、尻尾の有無と、背中に武器を背負っている点で、図３に示す状態とは異なっている。図４の状態では、図３に示した脚部３及び５が、大腿部３ｂ、５ｂと脛部３ａ、５ａの部分で分離され、大腿部３ｂ、５ｂには部品ユニット２５及び２７が連結機構を介して連結され、この部品ユニット２５及び２７の下に元の脛部３ａ，５ａ以下の部分が連結されている。足部７及び９は、脛部３ａ，５ａに対しては爪先立ちになった状態に変形されている。図３の状態と比べて、図４の変形態様では、足部の形状が大きくなるため、かなり安定した状態になる。
【００１６】
このロボット玩具では、腕部１１，１３及び大腿部３ｂ，５ｂに部品ユニット２１，２３，２５，２７が連結されることにより、その形態は大きく変化している。腕部１１，１３の構造は実質的に同じであるので、以下腕部１３に第２の部品ユニット２３（図３，図４）が連結される構造について説明する。このロボット玩具１では、腕部１３に対して、他のロボット玩具の一部を分割して得た第２の部品ユニット２３を連結機構を介して連結している。連結機構は、腕部（第１の部品ユニット）側に設けられた係合部と、第２の部品ユニット２３側に設けられ且つ係合部が着脱可能に係合する構造を有する被係合部とから構成される。
【００１７】
図５は左腕の構造を分解して示す分解斜視図を示しており、図６は左腕の反割図を示しており、図７は図５の各部材を組み立てた組立状態における左腕の背面図を示している。カバー１７を含めて外装部品はすべて二分割されている。カバー１７は、二つのカバー半部１７ａ及び１７ｂによって構成されている。カバー半部１７ａ及び１７ｂの下には、機構ケース３７が位置する。この機構ケース３７の内部は、腕を左右に動かす際にクリック感を生じさせるクリック機構３９が収納されている。カバー半部１７ａ及び１７ｂは、それぞれ機構ケース半部３７ａ及び３７ｂに設けた被取付部３７ｃ及び３７ｄに回動可能に取り付けられている。クリック機構３９は外周に凹凸が形成されたギヤ状部材４１と、このギヤ状部材４１の外周を回るクリックバネ保持部材４３とから構成される。クリックバネ保持部材４３は、ギヤ状部材４１の外周部の凹凸にバネ性を持って嵌合される突起を備えた板バネ４３ａを有している。ギヤ状部材４１はシャフト４５の一端に一体に取り付けられており、シャフト４５の他端には腕部を前後に回動させたときにクリック感を発生するための別のクリック機構のギヤ状部材４７が一体に設けられている。
【００１８】
機構ケース３７の下には、腕部１３の本体１４が装着されている。本体１４は、中空構造を有しており、二つの本体半部１４ａ及び１４ｂと後述する扉部材１４ｅとが組み合わされて構成されている。具体的には、本体１４は、外部に向かって開口する開口部１４ｃを有しており、回動部材５０に設けられたロボットの手５１（必要部材）または係合部５３を収納する収納空間１４ｄを内部に備えている。本体１４には、開口部１４ｃ近傍に回動軸５５が設けられている。この回動軸５５には、回動部材５０が回動自在に嵌合されている。回動軸５５は、本体半部１４ａに一端が固定され、他端が本体半部１４ｂに嵌合される構造を有している。扉部材１４ｅは、上側端部の両端が本体半部１４ａ及び１４ｂに対してそれぞれ揺動自在に支持されている。回動部材５０は、回動軸５５を中心にして、手（必要部材）が本体１４内に収納され且つ係合部５３が本体１４から露出する状態になる第１の位置と、係合部５３が本体１４内に収納され且つ手（必要部材）が本体１４から露出する状態になる第２の位置との間を回動する。図９には回動部材５０が第１の位置にある状態をイラストで示してあり、図８には回動部材５０が第２の位置にある状態をイラストで示してある。図８に示されるように、回動部材５０が第２の位置にあるときには、係合部は本体１４の周壁部（１４ａ，１４ｂ，１４ｅ）によって囲まれているため、外側からは実質的に見ることができなくなる。なお開口部１４ｃの大きさは、係合部５３が開口部１４ｃを通って収納空間１４ｄに出入りできるように定められている。また扉部材１４ｅの大きさは、扉部材１４ｅが開かれた状態で、扉部材１４ｅによって塞がれていた窓部１４ｆ（図９）を通って収納空間１４ｅに出入りできるように定められている。
【００１９】
本実施の形態では、第２の部品ユニット２３（図３及び図４）を腕部１３と連結する際には、回動部材５０を第１の位置（図９に示す位置）に回動させて係合部５３を本体１４から露出させる。そして第２の部品ユニット２３を腕部１３に連結しない場合には、回動部材５０を第２の位置（図７に示す位置）まで回動して手（必要部材）を本体１４から露出させる。その結果、この実施の形態によれば、第２の部品ユニット２３を第１の部品ユニットとしての腕部１３に連結する必要がない場合には、回動部材を回転させるだけで、係合部５３を第１の部品ユニットの本体内に収納して、係合部５３を外部から見えない状態にすることができる。また第２の部品ユニット２３を連結する場合には、図９に示すように、腕部１３を取り外すことなく、回動部材５０を回転させて係合部５３を露出させ、露出させた係合部５３に第２の部品ユニット２３の係合用凹部２２を係合させることができる。
【００２０】
腕部１３の回動部材５０に設ける係合部５３の構造は任意である。この実施の形態では、図９に示すように、係合部５３としては係合用凸部５４を設けている。しかしながらこの係合部５３として係合用凸部５４と着脱可能に係合する係合用凹部（第２の部品ユニット２３に設けられて係合用凹部２２と同じ物）を用いてもよいは勿論である。この場合には、第２の部品ユニット２３に設ける被係合部は、係合用凸部となる。
【００２１】
この実施の形態の係合用凸部５４は、回動部材５０に設けられたベース５４ａと、このベース５４ａと一体に設けられてベース５４から離れる方向（直交方向）に延びる板状部と５４ｂ、板状部５４ｂの先端に添うようにして板状部５４ｂと一体に設けられた係合部側張り出し部５４ｃとを備えた構造を有している。このような係合用凸部５４を用いる場合、対応する係合用凹部２２としては、所定の間隔をあけて配置されて、係合用凸部５４の板状部５４ｂ及び係合部側張り出し部５４ｃを間に挟み、先端部に係合部側張り出し部５４ｃの抜け止めを図る係合用凹部側張り出し部２２ｃを一体に備えた可撓性を有する一対の壁部２２ａ，２２ｂを備えた構造とすればよい。このような凹凸関係の係合用凹部２２と係合用凸部５４とからなる連結機構は、一般的に用いられている。しかしながら組み替え頻度が多くなると、特に係合用凸部５４の板状部５４ｂが変形したり、最悪の場合には折れてしまうことがある。
【００２２】
そこで図１０に示すように、係合用凸部１５４として、ベース１５４ａと板状部１５４ｂとに跨って配置されて板状部１５４ｂを機械的に補強する補強部１５４ｄを設けたものを用いるのが好ましい。この補強部１５４ｄは、板状部１５４ａ及び係合部側張り出し部１５４ｃが，係合用凹部１２２の一対の壁部１２２ａ及び１２２ｂ間に挿入されることを許容するように設ける必要がある。このようにすると補強部１５４ｄの存在により、係合用凸部１５４の板状部１５４ｂが補強されて、係合用凸部１５４の寿命を大幅に延ばすことができる。また係合用凸部１５４が、係合用凹部１２２に嵌め合わされた後に、部品ユニットに外部から力が加わって、係合用凸部１５４に比較的大きな負荷が加わった場合でも、補強部１５４ｄを設けておけば、板状部１５４ｂが折れるといった事態が発生するのを防止できる。
【００２３】
上記の実施の形態では、腕部１３について詳しく説明したが、腕部１１側の構造も腕部１３と同様になっている。また脚部３及び５の大腿部３ｂ，５ｂ（図４参照）には、前述と同様の係合用凸部５４が設けられている。そこで図１１に示すように、脚部３及び５の大腿部３ｂ,５ｂに設ける係合用凸部１５４，１５４としても図１０に示補強部１５４ｄを備えた係合用凸部１５４を用いてもよいのは勿論である。
【００２４】
上記の実施の形態は、ロボット玩具の腕部（第１の部品ユニット）に対して、連結機構を介して他の部材（第２の部品ユニット）を連結しているが、本発明は上記実施の形態に限定されるものではなく、形態変形玩具を構成する部材のいずれにも適用できるものであり、脚部、足部、胴部、頭部等いずれの部材（第１の部品ユニット）に他の部材（第２の部品ユニット）を連結する場合にも本発明を適用することができる。なお他の部材（第２の部品ユニット）としては、形態変形玩具から取り外した部材も当然にして含まれる。
【００２５】
図１２は、ブロック玩具に本発明を適用する場合に部品ユニットの一例における係合部の露出操作を図示している。第１の部品ユニット１０１の一面には必要部材としての壁１０２が図示しない回転軸を中心にして回転するように設けられている。そしてこの壁１０２の裏面には係合部としての係合用凸部１５４が設けられている。図１３に示すように、第２の部品ユニット２０１に設けられた係合用凹部２０３に第１の部品ユニット１０１の係合用凸部１５４を嵌め合わせれば、第１の部品ユニット１０１と第２の部品ユニット２０１とは連結が完了する。なお第２の部品ユニット２０１においても係合用凹部２０３が設けらている壁２０２の厚みを、係合用凹部２０３の厚みより厚くしておき、壁全体を回転させるようにすれば、係合用凹部２０３を収納することは可能である。
【００２６】
以下本願明細書に記載した形態変形玩具の特徴を列記する。
【００２７】
（１）  複数の部材が連結機構を介して連結されて構成され、
前記複数の部材の少なくとも一つの部材に更に連結機構を介して他の部材が連結されて形態が更に変化し、
前記連結機構が前記一つの部材側に設けられた係合部と、前記他の部材側に設けられ且つ前記係合部が着脱可能に係合する構造を有する被係合部とから構成されている形態変化玩具であって、
前記一つの部材は、その本体に設けられた回動軸を中心にして回動する回動部材を有し、
前記回動部材には、前記他の部材と連結されない状態で使用されるときに前記一つの部材の必要部分を構成する必要部材及び前記係合部が設けられ、
前記一つの部材と前記他の部材とが連結される際には、前記必要部材が前記本体内に収納され且つ前記係合部が前記本体から露出する状態になる第１の位置と、前記一つの部材が前記他の部材と連結されない状態で使用される際には、前記係合部が前記本体内に収納され且つ前記必要部材が前記本体から露出する状態になる第２の位置との間を、前記回動部材が前記回動軸を中心にして選択的に回動し得るように前記一つの部材が構成されていることを特徴とする形態変形玩具。
【００２８】
（２）  前記係合部が係合用凸部及び該係合用凸部と着脱可能に係合する係合用凹部の一方からなり、前記被係合部が前記係合用凸部及び前記係合用凹部の他方からなることを特徴とする上記（１）に記載の形態変形玩具。
【００２９】
（３）  前記本体は、外部に向かって開口する開口部を有して前記必要部材または前記係合部を収納する収納空間を内部に備えた中空構造を有しており、
前記本体に対して、前記開口部近傍に前記回動軸が設けられ、
前記本体の前記開口部及び前記収納空間を囲む周壁部は、前記回動軸を中心にして前記回動部材が前記第１の位置と前記第２の位置との間を変位することを許容するように構成されていることを特徴とする上記（１）に記載の形態変形玩具。
【００３０】
（４）  前記周壁部の一部は、前記回動軸を中心にして前記回動部材が前記第１の位置から前記第２の位置に回動する場合及び前記回動軸を中心にして前記回動部材が前記第２の位置から前記第１の位置に回動する場合の少なくとも一方の場合に開かれて、前記回動部材の回動を許容する扉部材によって構成されている上記（３）に記載の形態変形玩具。
【図面の簡単な説明】
【００３１】
【図１】本発明の玩具組立ユニットを適用した形態変形玩具の実施の形態の変形状態を示す斜視図である。
【図２】本発明の玩具組立ユニットを適用した形態変形玩具の実施の形態の変形状態を示す斜視図である。
【図３】本発明の玩具組立ユニットを適用した形態変形玩具の実施の形態の変形状態を示す斜視図である。
【図４】本発明の玩具組立ユニットを適用した形態変形玩具の実施の形態の変形状態を示す斜視図である。
【図５】左腕の分解斜視図を示している。
【図６】反割図を示している。
【図７】左腕の背面図を示している。
【図８】回動部材が第２の位置にある状態をイラストで示す図である。
【図９】回動部材が第１の位置にある状態をイラストで示す図である。
【図１０】係合用凸部の変形例を説明するために用いる図である。
【図１１】大腿部に他の部材を連結する場合に、補強部を備えた係合用凸部を用いる場合を説明するために用いる斜視図である。
【図１２】本発明をブロック玩具の玩具用組立ユニットに適用する場合の部品ユニットの変形の態様を示す図である。
【図１３】本発明をブロック玩具の玩具用組立ユニットに適用した場合の２つの部品ユニットの連結状態を示す図である。
【符号の説明】
【００３２】
１  ロボット玩具（形態変形玩具）
３，５  脚
７，９  足部
１１，１３  腕（第１の部品ユニット）
１４  本体
１４ｄ  収納空間
１４ｅ  扉部材
１５，１７  カバー
１９  首部
２０  顔
２１，２５，２７  部品ユニット
２３  第２の部品ユニット
５０  回動部材
５１  手（必要部材）
５３  係合部
５４  係合用凸部
５５  回動軸
【図１】
2005177201.tif 000003
【図２】
2005177201.tif 000004
【図３】
2005177201.tif 000005
【図４】
2005177201.tif 000006
【図５】
2005177201.tif 000007
【図６】
2005177201.tif 000008
【図７】
2005177201.tif 000009
【図８】
2005177201.tif 000010
【図９】
2005177201.tif 000011
【図１０】
2005177201.tif 000012
【図１１】
2005177201.tif 000013
【図１２】
2005177201.tif 000014
【図１３】
2005177201.tif 000015